(57)【要約】      （修正有）【課題】低コストで、かつ、少ない工程で作成することができ、高所に位置するロッククライミング用ホールドを効果的に、かつ、効率よく清掃することができる道具を提供する。【解決手段】伸縮機構を有する柄部１、角度可変機構を有する中間ジョイント２及びブラシ部３から成り、ブラシ部３は中間ジョイント２を介して柄部１に着脱自在に接続される。柄部１の伸縮機構は、内径が異なる少なくとも２以上のパイプ状部材が互いに接続され、内径の大きさの順で小さいものを内側に内蔵させることにより伸縮を可能にしている。中間ジョイント２の角度可変機構は、ジョイントの一部に回転装置を有する可変ジョイントを採用することにより実現させている。前記回転装置は軸着された複数の回転盤が摺接しながら異方向に枢動する構成になっている。これによって、柄を伸ばし、ブラシの角度を変化させ、高所に位置するホールドの付け根や奥の部分まで清掃する。【選択図】図１
2015173677.tif 000002
【特許請求の範囲】
【請求項１】
ロッククライミング用ホールドの清掃用道具であって、
少なくとも２のパイプが互いに接続されていることにより構成される柄部と、
ブラシ及び植毛台によって構成されるブラシ部と、
前記ブラシ部を接続させるための支持棒、前記ブラシ部と前記柄部とがなす角度を変化させる役割を担う回転装置及び自らを柄部に固設させるための固定具によって構成される中間ジョイントと、
を有することを特徴とする清掃用道具。
【請求項２】
前記柄部を構成する前記少なくとも２のパイプは互いに内径が異なり、内径の大きさの順で大きいパイプが小さいパイプを内側に内蔵させることにより柄部全体が縮小し、また、大きいパイプから小さいパイプが引き出されることにより柄部全体が伸長することを特徴とする請求項１記載の清掃用道具。
【請求項３】
前記中間ジョイントを構成する回転装置は複数の回転盤により構成され、前記支持棒と一体となった回転盤と前記固定具と一体となった回転盤とが重なって軸着し、摺接状態を保持しつつ各々が異方向に枢動することにより、前記ブラシ部と前記柄部とがなす角度を変化させることを特徴とする請求項１又は２記載の清掃用道具。
【発明の詳細な説明】
【技術分野】
【０００１】
本発明は、ロッククライミングのホールドを清掃するための道具に関する。
【背景技術】
【０００２】
ロッククライミングは元来、登山における岩壁登攀技術であったが、近年においては、登山技術の範疇から出て、ロッククライミング自体が一つのスポーツとして発展してきた。さらに、現在は、自然の岩壁を模した人工岩壁を自宅やスポーツジムなどの室内に設置し、老若男女が気軽に楽しむポピュラーなスポーツになりつつある。
【０００３】
「フリークライミング」と呼ばれるこのスポーツは、自分の手足を頼りに人工の岩や窪みをつかみ、ウオールと呼ばれる人工壁を登るものであるが、このウオールに設置される人工の岩や窪みを「クライミングホールド」又は単に「ホールド」という。フリークライミングにおいてホールドの形状や配置は、ウオールの特徴や登攀の難度を決める重要な構成要素であるとされている。ホールドは、ポリエステル樹脂を素材とし、ボルト又はスクリューにより、緩まないようにしっかりと固定される。
【０００４】
ホールドは脂汗や埃で汚れやすく、ほおっておくと危険を招くため、ブラシで擦るなどして頻繁に清掃する必要がある。
【０００５】
一方、自然岩を登攀する屋外のロッククライミングにおいても、登攀技術向上の練習に専念できるようにするため、練習用自然岩の突起部分や窪み部分の土埃や泥を取り除く清掃作業が行われる。
【先行技術文献】
【特許文献】
【０００６】
【特許文献１】実用新案登録第３１４０５２９号
【発明の概要】
【発明が解決しようとする課題】
【０００７】
前述したように、フリークライミングに使用されるホールドは頻繁に清掃することを要するが、ボルト又はスクリューによってかたく固定され、簡単に取り外しができないようになっている。したがって、高いところに設置されたホールドほど清掃に手間がかかる。
【０００８】
また、屋外のロッククライミングで使用される岩壁の突起部分や窪み部分の土埃や泥を取り除く作業においても、高所部分の作業は難を極める。
【０００９】
現在、これら高所部分のホールドを清掃するための専用の用具はなく、木・竹などの棒を柄として、これに歯ブラシや靴洗い用ブラシをテープ等によって接続・固定したものを使用しているのが一般的である。しかし、固定部分が不安定なうえ、柄とブラシが直線的に接続されているため、ブラシ先端がホールドの奥に届かず、清掃が不十分となることが多い。
【００１０】
特許文献１には、高所部分の清掃のための伸縮自在な清掃用はたきについての考案が開示されている。同考案は家庭内の清掃用具についての提案であるが、高所部分の清掃における便宜を目的とする点では、本発明と解決すべき課題を同じくする。しかしながら、この考案に係るはたきは、柄の伸縮により先端がある程度の高所には届くが、先端を曲げることができないため、高所の水平箇所の清掃を十分にすることができず、これを参考にしてホールドの清掃用道具を作ることは不適当である。
【００１１】
これらの問題を踏まえ、本発明においては、低コストで簡単に作成することができ、高所に位置するロッククライミング用ホールドを、効果的かつ効率よく清掃することができる道具を提供することを課題とする。
【課題を解決するための手段】
【００１２】
上記課題を解決するために、本発明に係るロッククライミング用ホールド清掃用道具は、柄部、中間ジョイント及びブラシ部から成り、ブラシ部は中間ジョイントを介して柄部に着脱自在に接続される。本清掃用道具の大きな特徴は、柄部に伸縮機構を、中間ジョイントに角度可変機構を、具備することにある。
【００１３】
柄部の伸縮機構は一般にテレスコピックパイプ構造と呼ばれるもので、内径が異なる少なくとも２以上のパイプが互いに接続され、内径の大きさの順で小さいものを内側に内蔵させることによって伸縮を可能にしている。これによって柄部の長さを調節しつつ、高所に位置する所望のホールドに前記清掃部を到達させることができる。
【００１４】
前記中間ジョイントの角度可変機構は、ジョイントの略中央部に回転装置を採用することにより実現させている。前記回転装置は軸着された複数の回転盤が摺接しながら異方向に枢動するという構成になっている。これによって、ブラシの角度を変化させることが可能となり、高所に位置するホールドの付け根や奥の部分まで清掃することができる。前記中間ジョイントは柄部の先端に固設されている。
【発明の効果】
【００１５】
柄部の伸縮機構と角度可変機構により、高所に位置するホールドの、これまで清掃が行き届かなかった部分まで、きれいに清掃できるようになる。
【００１６】
柄部、中間ジョイント及びブラシ部は、既に他の製品に使用されている部品を組み合わせて作成することができるため、低コスト、かつ簡単な工程で制作することができる。
【図面の簡単な説明】
【００１７】
【図１】本清掃用道具の伸縮機構を示す斜視図である。
【図２】本清掃用道具の角度可変機構を示す斜視図である。
【図３】ブラシ部と中間ジョイントを示す斜視図である。
【図４】本清掃用道具の使用例を示す絵図である。
【発明を実施するための形態】
【００１８】
以下、本発明の実施形態について図を用いて説明する。
本発明に係るロッククライミング用ホールド清掃用道具は、柄部１、中間ジョイント２及びブラシ部３から成る。
【００１９】
図１は本清掃用道具の伸縮機構を示す。本実施形態では、柄部１はアルミニウムを素材とする３段テレスコピックパイプ構造となっており、内径が異なるａ・ｂ・ｃ３本のパイプ１１、１２，１３が互いに接続されている。（Ａ）は最短の状態を示し、パイプａ１１がパイプｂ１２を、また、パイプｂ１２がパイプｃ１３を、それぞれ内側に内蔵させている。（Ｂ）は中長の状態を示し、パイプａ１１とパイプｃ１３が露見している。（Ｃ）は最長の状態を示し、パイプａ１１・パイプｂ１２・パイプｃ１３が露見している。パイプａ及びパイプｂは上端内側に「かえし」を有しており、内蔵するパイプをいっぱいまで引き出したところで、抜けずに仮固定できるようになっている(不図)。
【００２０】
図２は、本清掃用道具の角度可変機構を示すものである。角度可変機構は、回転装置２２を有する可変ジョイントを採用することにより実現している。中間ジョイント２は一端でブラシ部３を受け入れ、他端はパイプｃ１３に固設されている。
【００２１】
図３は、中間ジョイント２とブラシ部３を示す。中間ジョイント２はナイロンを素材とし、回転装置２２を中心にして、一端に支持棒２１を、他端に固定具２３を有する。ブラシ部３との接続は、支持棒２１をブラシ部３の受入口３３に挿入することにより実現し、他端は固定具２３によりパイプＣ１３の先端に固設される。
【００２２】
回転装置２２は軸着された複数の回転盤によって構成され(不図)、支持棒２１と一体となった盤と固定具２３と一体となった盤が重なりあって軸着し、摺接しながら互いに異方向に枢動する構成になっている。
【００２３】
ブラシ部３は、植毛台３２とブラシ３１から成る。本実施形態では、植毛台３２の素材はＡＢＳ樹脂を、ブラシ３１の素材は白豚毛を使用する。歯ブラシ等で使用されているナイロン製の毛材は摩耗すると毛先が円くなり、滑りにくくなるのに対し、白豚毛は摩耗しても毛先が割れて、よく滑るという特徴がある。
【００２４】
図４は、本清掃用道具の柄部１を最長にした場合の使用イメージを示す。
【００２５】
以上、本発明の有する特徴及び優れた点を、発明の構成と機能の詳細をあげて上記実施形態に記載したが、本発明は、本発明の原理の範囲内で、本願の特許請求の範囲で使用されている言葉を広く一般的な意味にまで広げて、細かな点、特に部材の数や材質、機構等を変更しての実施が可能である。例えば、本実施例では柄部に３段テレスコピックパイプ構造を採用しているが、パイプの数や伸縮の方法は、清掃対象となるウオールの高さや特徴によって変化させて作成することが可能である。また、ジョイントの可変機構についても、ネジ式の単純な回転装置を採用することができる。これらの選択は、いずれのものも本発明の技術的範囲に含まれるものと解する。
【符号の説明】
【００２６】
１    柄部
１１  パイプａ
１２  パイプｂ
１３  パイプｃ
２    中間ジョイント
２１  支持棒
２２  回転装置
２３  固定具
３    ブラシ部
３１  ブラシ
３２  植毛台
３３  受入口
【図１】
2015173677.tif 000003
【図２】
2015173677.tif 000004
【図３】
2015173677.tif 000005
【図４】
2015173677.tif 000006